(57)【特許請求の範囲】
【請求項１】
車両に搭載され、複数からなる入力源の出力の中から１つを選択して出力する入力源出力制御装置において、
複数のプリセットキーと、
前記プリセットキーに対応して設けられ、前記複数の入力源の出力順序を記憶する出力順序記憶手段と、
前記選択されている入力源の状態に基づき、入力源を切換えるべき切換条件を検出する切換条件検出手段と、
前記切換条件検出手段が前記入力源を切換えるべき切換条件を検出する毎に、選択されているプリセットキーに対応した出力順序に従って、出力を順次切換える切換手段とを備えていることを特徴とする入力源出力制御装置。
【請求項２】
出力の選択がされている入力源が、車両外部からの放送を受信する受信手段にあっては、
前記切換条件検出手段は、
前記選択されている入力源の受信信号レベルが所定の信号レベル以下の状態を一定時間継続したことを切換条件として検出するものであることを特徴とする請求項１記載の入力源出力制御装置。
【請求項３】
出力の選択がされている入力源が、記録媒体を再生する記録媒体再生手段にあっては、
前記切換条件検出手段は、
前記選択されている記録媒体の最後の曲の出力が完了したことを切換条件として検出するものであることを特徴とする請求項１記載の入力源出力制御装置。
【請求項４】
次の入力源の出力に切換える操作を行う操作手段を備え、
前記切換条件は、前記操作手段による操作であることを特徴とする請求項１〜３のいずれか１項に記載の入力源出力制御装置。
【請求項５】
切換条件の検出に応じて入力源を切換える拡張プリセット再生モードと、
切換条件の検出に関わらず出力する入力源を切換えない通常プリセットモードを有することを特徴とする請求項１〜３のいずれか１項に記載の入力源出力制御装置。
【発明の詳細な説明】
【０００１】
【発明の属する技術分野】
本発明は、複数のオーディオビジュアル入力源に対して出力順序が設定可能な入力源出力制御装置に関する。
【０００２】
【従来の技術】
図４は従来のオーディオビジュアルシステムの構成を示すブロック図で、（ａ）は全体図、（ｂ）は操作部の構成図である。以下、図に従って説明する。
６はオーディオビジュアルの入力源で、テレビ放送波を受信するテレビ受信部６１、ラジオ放送波を受信するＡＭ／ＦＭラジオ受信部６２、カセットテープを再生するカセットプレーヤ６３、ＣＤ（コンパクトディスク）を再生するＣＤプレーヤ６４、ＭＤ（ミニディスク）を再生するＭＤプレーヤ６５から構成される。７はオーディオビジュアルの出力部で、入力源６からの音声信号を増幅し音声に変換するスピーカ等からなる音声出力部７１、映像信号を増幅し液晶等の表示部に表示する映像出力部７２から構成される。８は入力源６の選択及びシステム全体の制御を行う制御部である。９は受信・再生操作、プリセット設定操作、プリセット再生操作等を行う押し釦スイッチ（キー）等からなる操作部で、所望の入力源６を選択する入力源選択キー群９１、予め設定された受信チャンネル等を選択するプリセットキー群９２、受信チャンネル、受信周波数または曲番選択、前進、後退、再生指示等を行う選曲キー群９４、音量の調整を行う音量調整キー９５等から構成される。
【０００３】
図５は従来のオーディオビジュアルシステムのプリセットの説明図で、（ａ）はプリセットキーの記憶内容を示す図、（ｂ）〜（ｅ）はプリセットキーの設定手順を説明するための図である。以下、図に従って説明する。
聴取者は先ず、入力源選択キー部９１のＴＶキーを押し、選曲キー群９４により所望の受信チャンネル（１２ｃｈ）を選択（受信状態に）する。次に、プリセットキー群９２の１番キーを所定時間押し続ける。この操作により、プリセットキー群９２の１番キーにＴＶの１２ｃｈが登録される。また、プリセットキー群９２の２番キー、３番キー、４番キーについても、図５（ｃ）〜（ｅ）の操作により、図５（ａ）のように所望の入力源が登録（プリセット）される。
【０００４】
テレビ放送、ラジオ放送等をプリセット受信する場合には、プリセットキー群９２の１番キーを選択することにより、予め設定されているテレビ（１２チャンネル）の受信が簡単に行える。また、プリセットキー群９２の２番キーを選択することにより、予め設定されているＦＭラジオ（８５．１ＭＨｚ）の受信が簡単に行える。以下、同様に３番キー、４番キーに対応した放送が受信できる。
【０００５】
尚、ＣＤプレーヤ６４、ＭＤプレーヤ６５、カセットプレーヤ６３についてはプリセット機能はなく、視聴者が直接入力源選択キー群９１によりＣＤプレーヤ、ＭＤプレーヤの選択と、選曲をマニュアルで行う。
【０００６】
【発明が解決しようとする課題】
従来のオーディオビジュアルシステムにおいては、聴取者は予め登録されているチャンネル、または周波数に対応したプリセットキー群９２の番号キーを操作するだけで簡単にラジオ放送やテレビ放送が受信できる。しかし、車載用のオーディオビジュアルシステムでは、車両の走行に応じて受信状態が常に変化する。もし、受信中に電界強度が低下して雑音等で聞き難い状態になっても、その状態で受信が継続される。そのために、視聴者は他の入力源選択キー群９１やプリセットキー群５２の番号キーを操作して、受信状態のよい局を選択したり、または、ＣＤプレーヤやＭＤプレーヤの再生に切換えたりする必要がある。
【０００７】
本発明は、オーディオビジュアルシステムが聞き難い状態になると、予め登録された入力源に自動的に切り換わる入力源出力制御装置を提供することを目的とする。
【０００８】
上記目的を達成するために本発明は、車両に搭載され、複数からなる入力源の出力の中から１つを選択して出力する入力源出力制御装置において、複数のプリセットキーと、前記プリセットキーに対応して設けられ、前記複数の入力源の出力順序を記憶する出力順序記憶手段と、前記選択されている入力源の状態に基づき、入力源を切換えるべき切換条件を検出する切換条件検出手段と、前記切換条件検出手段が前記入力源を切換えるべき切換条件を検出する毎に、選択されているプリセットキーに対応した出力順序に従って、出力を順次切換える切換手段とを備えたことを特徴とするものである。
【０００９】
また、出力の選択がされている入力源が、車両外部からの放送を受信する受信手段にあっては、前記切換条件検出手段は、前記選択されている入力源の受信信号レベルが所定の信号レベル以下の状態を一定時間継続したことを切換条件として検出するものであることを特徴とするものである。また、出力の選択がされている入力源が、記録媒体を再生する記録媒体再生手段にあっては、前記切換条件検出手段は、前記選択されている記録媒体の最後の曲の出力が完了したことを切換条件として検出するものであることを特徴とするものである。
【００１０】
また、次の入力源の出力に切換える操作を行う操作手段を備え、前記切換条件は、前記操作手段による操作であることを特徴とするものである。
【００１１】
また、切換条件の検出に応じて入力源を切換える拡張プリセット再生モードと、切換条件の検出に関わらず出力する入力源を切換えない通常プリセットモードを有することを特徴とするものである。
【００１２】
【実施例】
図１は本発明の一実施例のオーディオビジュアルシステムの構成を示すブロック図で、（ａ）は全体図、（ｂ）は操作部の構成図である。以下、図に従って説明する。
１はオーディオビジュアルの入力源で、テレビ放送波を受信し、受信した放送波を音響（音声）信号及び映像信号として出力するテレビ受信部１１、ラジオ放送波を受信し、受信した放送波を音響（音声）信号として出力するＡＭ／ＦＭラジオ受信部１２、カセットテープを再生し、カセットテープにかかる音響（音声）信号を出力するカセットプレーヤ１３、ＣＤ（コンパクトディスク）を再生し、音響（音声）信号を出力するＣＤプレーヤ１４、ＭＤ（ミニディスク）を再生し、音響（音声）信号を出力するＭＤプレーヤ１５から構成される。２はオーディオビジュアルの出力部で、入力源１からの音声信号を増幅し音声に変換するスピーカ等からなる音声出力部２１、映像信号を増幅し液晶等の表示部に表示する映像出力部２２から構成される。また、図示はしないが、この入力源から制御部４に対して、受信部における電界強度やカセットの走行方向、ＣＤ／ＭＤのトラック番号等を示す信号も出力される。３は車両の走行案内を行うナビゲーション部で、人工衛星を使用して位置を検出するＧＰＳ位置検出部３１、地図情報が記憶された地図データベース３２から構成される。４は入力源１からの音響（音声）や映像の選択及び操作部５により受信周波数の変更やテープの走行方向変更の命令を行う等、入力源の動作制御を総合的に行う制御部である。５は受信・再生操作、プリセット設定操作、プリセット再生操作等を行う押し釦スイッチ（キー）等からなる操作部で、所望の入力源１を選択する入力源選択キー群５１、予め設定された受信チャンネル等を選択するプリセットキー群５２、拡張プリセットモードを指定する拡張キー５３、受信チャンネル、受信周波数または曲番選択、前進、後退、再生指示等を行う選曲キー群５４、音量の調整を行う音量調整キー５５等から構成される。
【００１３】
図２は本発明の一実施例のオーディオビジュアルシステムの拡張プリセットの説明図で、（ａ）はプリセットキーの記憶内容を示す図、（ｂ）〜（ｅ）は拡張プリセットキーの設定手順を説明するための図である。以下、図に従って説明する。
聴取者は先ず、入力源選択キー群５１のＴＶキーを押し、選曲キー群５４により所望の受信チャンネル（１２ｃｈ）を選択（受信状態に）する。次に、拡張キー５３を押し、プリセットキー群５２の１番キーを所定時間押し続ける。この操作により、プリセットキー群５２の１番キーに対応する再生順序１番目（Ａ）にＴＶの１２ｃｈが登録される。また、選曲キー群５４により所望の受信チャンネル（３６ｃｈ）を選択する。次に、拡張キー５３を押し、プリセットキー群５２の２番キーを所定時間押し続ける。この操作により、プリセットキー群５２の１番キーに対応する再生順序２番目（Ｂ）にＴＶの３６ｃｈが登録される。以下、同様にしてＴＶの５６ｃｈ、ＴＶの５２ｃｈがそれぞれプリセットキー群５２の１番キーに対応する再生順序３番目（Ｃ）にＴＶの５６ｃｈ、再生順序４番目（Ｄ）にＴＶの５２ｃｈが登録される。この登録方法は、例えば、同じ番組を放送しているチャンネルを順次登録しておけば、通勤途中で電波の状態が変化しても受信状態のよい同じ番組に切り換えられる。
【００１４】
また、プリセットキー群５２の２番キー、３番キー、４番キーについても、図２（ｃ）〜（ｅ）の操作により、図２（ａ）のように所望の入力源が指定の順序で登録される。
図３は本発明の一実施例のオーディオビジュアルシステムの再生（または受信）処理フローチャートである。以下、図に従って説明する。
【００１５】
ステップＳ１では、プリセットキーが選択されたか否かを判断してプリセットキーが選択されればステップＳ２に移り、プリセットキーが選択されなければ待機する。この判断は聴取者が操作（選択）したプリセットキー群５２の番号キーに基いて判断する。尚、プリセットキー群５２のいずれのキーも選択されない場合には、システムの電源をオンすると前回システムの電源をオフにする直前に再生（または受信）されていた入力源が再生される。
【００１６】
ステップＳ２では、プリセットキーの番号キーに対応する１番目の入力源であるＡ入力源の再生（又は受信）を開始してステップＳ３に移る。つまり、プリセットキー群５２の３番キーが操作されたとすると、図に示すようにＡＭ／ＦＭラジオ受信部１２によるＦＭ放送の８０．２ＭＨｚが受信される。
ステップＳ３では、拡張プリセット再生モードであるか否かを判断して拡張プリセット再生モードであればステップＳ４に移り、拡張プリセット再生モードでなければステップＳ７に移る。つまり、拡張プリセット再生モードが指定されたか否かを判断するもので、拡張キー５３が操作されて（押されて）おれば拡張プリセット再生モードであると判断し、拡張キー５３が操作されなければ拡張プリセット再生モードではないと判断する。尚、拡張キー５３の操作タイミングはプリセットキー群５２の操作の前でも、プリセットキー群５２の操作の後、つまり、ラジオ受信中であってもよく、拡張キー５３が操作された時点から拡張プリセット再生モードとなる。
【００１７】
ステップＳ４では、入力源を切換えるべき状態にあるか否かを判断して切換えるべき状態にあればステップＳ５に移り、切換えるべき状態になければステップＳ６に移る。入力源を切換えるべき状態（切換条件）とは、例えば、ラジオ放送、テレビ放送の受信では、受信機における受信状態に基づき電界強度（受信レベル）が低下して放送が受信し難い（聞き難い、画面が見難い）状態にあるか否かで判断する。具体的には受信波の検波出力が所定レベル以下の状態が所定時間継続した場合は受信状態が悪く、入力源の切換が必要な状態であると判断する。尚、ＣＤプレーヤ１４、ＭＤプレーヤ１５では切換すべき状態としてプレーヤの再生状態に基づき、演奏中のディスクの最後の曲の演奏が完了した時、オートリバース機能のあるテーププレーヤ１３ではテープの全演奏が完全に終了した時点としてテープの再生方向が３回切換わった時点とする。また、ＣＤディスク、ＭＤディスク、カセットテープが装着されていない場合も切換すべき状態にあると判断する。
【００１８】
ステップＳ５では、プリセットキーの番号キーに対応する次の入力源の再生（又は受信）を開始してステップＳ４に戻る。つまり、図２（ａ）に示すように現在Ａ入力源（ＦＭ放送の８０．２ＭＨｚ受信）を受信している場合には、Ｂ入力源であるＣＤプレーヤ１４を再生状態にする。この処理によりＣＤプレーヤ１４に装着されているＣＤディスクの最初の曲から再生が開始される。このように、切換えるべき状態になる毎に順次Ａ（ＦＭ放送の８０．２ＭＨｚ受信）→Ｂ（ＣＤプレーヤ１４）→Ｃ（カセットプレーヤ１３→Ｄ（ＡＭ放送の１００８ＫＨｚ受信）→Ａ（ＦＭ放送の８０．２ＭＨｚ受信）と入力源１が繰り返し変更される。
【００１９】
ステップＳ６では、現入力源の再生を継続してステップＳ４に戻る。つまり、ラジオ放送、テレビ放送の受信状態も良く、また、テーププレーヤ１３、ＣＤプレーヤ１４、ＭＤプレーヤ１５は再生途中であり、入力源を切換えるべき状態ではないので現入力源の再生（受信）を継続する。
ステップＳ７では、現入力源の再生を継続して処理を終える。つまり、拡張キー５３が操作されず通常のプリセット再生モードである。そこで、プリセットキー群５２の選択された番号キーに対応した現在再生中の入力源の再生を継続する。この場合はマニュアルによりプリセットキー群５２の番号キーを変更しない限り受信状態が悪くなっても次の入力源には切換わらない。また、テーププレーヤ１３、ＣＤプレーヤ１４、ＭＤプレーヤ１５の再生では、予め各プレーヤに設定されている条件に従って再生が行われる。例えば、ＣＤディスクの最後の曲の演奏が終了すると停止する場合や、次のディスクの再生を行う場合等の設定に従う。尚、通常プリセット再生モードでは、再生中にプリセットキー群５２の別の番号キーを選択しても図２（ａ）の各プリセットキー群５２の番号キーに対応するＡ入力源の再生しかできない。
【００２０】
尚、ラジオ放送またはテレビ放送を受信中にトンネル等に入って受信状態が悪くなり、ラジオ受信からＣＤプレーヤの再生に切り換わった場合には、トンネルが原因で放送波の電界強度が一時的に低下しており、トンネルを出ると、また受信状態が良くなると推定できる。そこで、当初視聴していたラジオ受信またはテレビ受信に戻す方が適切であると考え、トンネルを出るとＣＤプレーヤ１４の再生を継続するよりも前の入力源（ラジオまたはテレビ）に戻すようにしてもよい。例えば、プリセットキー群５２の３番キーに対応してＡ入力源のＦＭ受信中にトンネルに入り、受信状態が悪くなりＢ入力源のＣＤ演奏に切換わった場合には、トンネルを出るとＣＤ演奏を継続するのではなく、Ａ入力源のＦＭ受信に戻すものである。そこで、現在車両が走行している地点がトンネル内であるか否かを走行案内を行うナビゲーション部３を使用して検出する。例えば、トンネル内であれば位置検出部３１がＧＰＳからの電波を正常に受信できないので、ＧＰＳからの電波が受信できないことを検出した時はトンネル内であると判断してもよい。また、ジャイロセンサや距離センサ（車速センサ）を備えた自立航行システムのナビゲーション部では、ＧＰＳからの電波が受信できなくても車両の位置が特定できるので、検出した車両の位置と地図データベース３２を照合してトンネル内であるか否かを判断してもよい。また、トンネルを出たか否かの判断はトンネル内であるか否かの判断方法と同様に、現在位置と地図データベースの照合により確認する。また、ＧＰＳからの電波が再度受信可能になっかことでトンネルを出たと判断してもよい。
【００２１】
また、拡張プリセット再生モード中に視聴者によりマニュアルで次キーが操作されると、現在のプリセットキー群５２の番号キーに対応する次の入力源の再生（または受信）に移る。また、拡張プリセット再生モード中にプリセットキー群５２の別の番号キーが操作されると、操作されたプリセットキー群５２の番号キーに対応する最初の入力源（Ａ）の再生（または受信）に移る等種々の応用が可能である。
【００２２】
以上のように本実施例では、オーディオビジュアルシステムが聞き難い状態になると、次に登録されている入力源に自動的に切り換わるので、運転者は煩わしいキー操作を必要としない。
【００２３】
【発明の効果】
以上説明したように、本発明では、オーディオビジュアルシステムが聞き難い状態になると、予め登録された入力源に自動的に切り換わる入力源出力制御装置が提供できる。
【図面の簡単な説明】
【図１】本発明の一実施例のオーディオビジュアルシステムの構成を示すブロック図である。
【図２】本発明の一実施例のオーディオビジュアルシステムの拡張プリセットの説明図である。
【図３】本発明の一実施例のオーディオビジュアルシステムの再生処理フローチャートである。
【図４】従来のオーディオビジュアルシステムの構成を示すブロック図である。
【図５】従来のオーディオビジュアルシステムのプリセットの説明図である。
【符号の説明】
１・・・・入力部、                    ３１・・・位置検出部、
１１・・・テレビ受信部、              ３２・・・地図データベース、
１２・・・ＡＭ／ＦＭラジオ受信部、    ４・・・・制御部、
１３・・・カセットプレーヤ、          ５・・・・操作部、
１４・・・ＣＤプレーヤ、              ５１・・・入力源選択キー群、
１５・・・ＭＤプレーヤ、              ５２・・・プリセットキー群、
２・・・・出力部、                    ５３・・・拡張キー、
２１・・・表示部、                    ５４・・・選曲操作キー群、
２２・・・音声出力部、                ５５・・・音量調整キー、
３・・・・ナビゲーション部。
【図１】
0004063956.tif 000002
【図２】
0004063956.tif 000003
【図３】
0004063956.tif 000004
【図４】
0004063956.tif 000005
【図５】
0004063956.tif 000006